【手続補正書】
【提出日】平成19年12月27日(2007.12.27)
【手続補正１】
【補正対象書類名】明細書
【補正対象項目名】特許請求の範囲
【補正方法】変更
【補正の内容】
【特許請求の範囲】
【請求項１】  （ａ）効果的なマイクロエマルションを形成する量の水；
（ｂ）（ｉ）約１〜約２０分子のエチレンオキシド単位を有するＣ６〜２４アルコールエトキシレート界面活性剤；
（ｉｉ）重合度が約１〜約１０であるＣ６〜２４アルキルポリグリコシド界面活性剤；
を含有し、ここで、
（ｉｉｉ）前記アルコールエトキシレート界面活性剤と前記アルキルポリグリコシド界面活性剤とが、約１：４〜約４：１の重量比で供給されている、
効果的なマイクロエマルションを形成する量の非イオン性界面活性剤混合物；
（ｃ）２２℃での水溶性が１ｗｔ％未満の、効果的なマイクロエマルションを形成する量の油、
を含有しており、且つアニオン性界面活性剤を実質的に含有していない、マイクロエマルション洗浄組成物。
【請求項２】  前記アルコールエトキシレート界面活性剤が、約４〜約６分子のエチレンオキシド単位を有するＣ１２〜１５アルコールエトキシレートを含む、請求項１に記載のマイクロエマルション洗浄組成物。
【請求項３】  前記アルキルポリグリコシド界面活性剤が、重合度が約１〜約５のＣ８〜１２アルキルポリグリコシド成分を含む、請求項１に記載のマイクロエマルション洗浄組成物。
【請求項４】  両性界面活性剤を更に含有する、請求項１に記載のマイクロエマルション洗浄組成物。
【請求項５】  前記両性界面活性剤が下記の式の化合物を含む、請求項４に記載のマイクロエマルション洗浄組成物：
【化１】
2003522285.tif 000001
（Ｘは、炭素原子数が１〜４の、直鎖の又は枝分かれしたアルキレン、ヒドロキシアルキレン、又はアルコキシアルキレン基；
Ｒは、Ｒ４−ＣＯ−ＮＨであり、ここでＲ４は、炭素原子数４〜２２の飽和又は不飽和の、枝分かれした又は直鎖のアルキル基；
Ｒ１は、水素、Ａ又は（Ａ）ｎ−Ｘ−ＣＯ２−Ｚ＋であり、ここでＡは、炭素原子数１〜４の直鎖の又は枝分かれしたアルキル、ヒドロキシアルキル又はアルコキシアルキル、ｎは０〜６の整数、且つｚはアルカリ金属カチオン、水素イオン又はアンモニウムカチオン；
Ｒ２は、（Ａ）ｎ−Ｘ−ＣＯ２−Ｚ＋；且つ
Ｒ３は、なし又はＡ。）
【請求項６】  マイクロエマルション洗浄組成物を疎水性の汚れを有する物品に接触させることを含む、物品から疎水性の汚れを除去する方法であって、
前記マイクロエマルション洗浄組成物が、
（ａ）効果的なマイクロエマルションを形成する量の水；
（ｂ）（ｉ）約１〜約２０分子のエチレンオキシド単位を有するＣ６〜２４アルコールエトキシレート界面活性剤；
（ｉｉ）重合度が約１〜約２０であるＣ６〜２４アルキルポリグリコシド界面活性剤；
を含有し、ここで、
（ｉｉｉ）前記アルコールエトキシレート界面活性剤と前記アルキルポリグリコシド界面活性剤とが、約１：４〜約４：１の重量比で供給されている、
効果的なマイクロエマルションを形成する量の非イオン性界面活性剤混合物；
（ｃ）２２℃での水溶性が１ｗｔ％未満の、効果的なマイクロエマルションを形成する量の油、
を含有しており、且つアニオン性界面活性剤を実質的に含有していない、物品から疎水性の汚れを除去する方法。
【請求項７】  マイクロエマルション洗浄組成物を、疎水性の汚れで汚れた手と接触させることを含む、手から疎水性の汚れを除去する方法であって、
前記マイクロエマルション洗浄組成物が、
（ａ）効果的なマイクロエマルションを形成する量の水；
（ｂ）（ｉ）約１〜約２０分子のエチレンオキシド単位を有するＣ６〜２４アルコールエトキシレート界面活性剤；
（ｉｉ）重合度が約１〜約２０であるＣ６〜２４アルキルポリグリコシド界面活性剤；
を含有し、ここで、
（ｉｉｉ）前記アルコールエトキシレートと前記アルキルポリグリコシドとが、約１：４〜約４：１の重量比で供給されている、
効果的なマイクロエマルションを形成する量の非イオン性界面活性剤混合物；
（ｃ）２２℃での水溶性が１ｗｔ％未満の、効果的なマイクロエマルションを形成する量の油、
を含有しており、且つアニオン性界面活性剤を実質的に含有していない、
手から疎水性の汚れを除去する方法。
【請求項８】  マイクロエマルション使用溶液を提供すること；並びに
前記使用溶液の温度を変化させて、マイクロエマルションを分離させること；
を含む、マイクロエマルションを相転換させる方法であって、
前記マイクロエマルション使用溶液が、
（ａ）効果的なマイクロエマルションを形成する量の水；
（ｂ）（ｉ）約１〜約２０分子のエチレンオキシド単位を有するＣ６〜２４アルコールエトキシレート界面活性剤；
（ｉｉ）重合度が約１〜約２０であるＣ６〜２４アルキルポリグリコシド界面活性剤；
を含有し、ここで、
（ｉｉｉ）前記アルコールエトキシレートと前記アルキルポリグリコシドとが、約１：４〜約４：１の重量比で供給されている、
効果的なマイクロエマルションを形成する量の非イオン性界面活性剤混合物；
（ｃ）２２℃での水溶性が１ｗｔ％未満の、効果的なマイクロエマルションを形成する量の油、並びに
（ｄ）分離に効果的な量の分離剤、
を含有しており、且つアニオン性界面活性剤を実質的に含有していない、
マイクロエマルションを相転換させる方法。
【手続補正２】
【補正対象書類名】明細書
【補正対象項目名】００７９
【補正方法】変更
【補正の内容】
【００７９】
上述の説明、例及びデータは、本発明の理解に役立つものである。しかしながら本発明は、様々な組成物及び方法で実施することができる。従って本発明は、特許請求の範囲で示されている。本発明の態様としては下記の態様を挙げることができる：
（１）（ａ）効果的なマイクロエマルションを形成する量の水；
（ｂ）（ｉ）約１〜約２０分子のエチレンオキシド単位を有するＣ６〜２４アルコールエトキシレート界面活性剤；
（ｉｉ）重合度が約１〜約１０であるＣ６〜２４アルキルポリグリコシド界面活性剤；
を含有し、ここで、
（ｉｉｉ）前記アルコールエトキシレート界面活性剤とアルキルポリグリコシド界面活性剤とを、約１：４〜約４：１の重量比で供給する、
効果的なマイクロエマルションを形成する量の非イオン性界面活性剤混合物；
（ｃ）２２℃での水溶性が１ｗｔ％未満の、効果的なマイクロエマルションを形成する量の油、
を含有する、マイクロエマルション洗浄組成物。
（２）前記水が約３０ｗｔ％〜約６０ｗｔ％の濃度で存在する、第（１）項に記載のマイクロエマルション洗浄組成物。
（３）前記油が約１ｗｔ％〜約３０ｗｔ％の濃度で存在する、第（１）項に記載のマイクロエマルション洗浄組成物。
（４）前記非イオン性界面活性剤混合物が約２０ｗｔ％〜約６０ｗｔ％の濃度で存在する、第（１）項に記載のマイクロエマルション洗浄組成物。
（５）前記アルコールエトキシレート界面活性剤とアルキルポリグリコシド界面活性剤との比が、約１：３〜約３：１である、第（１）項に記載のマイクロエマルション洗浄組成物。
（６）前記アルコールエトキシレート界面活性剤とアルキルポリグリコシド界面活性剤との重量比が、約１：２〜約２：１である、第（１）項に記載のマイクロエマルション洗浄組成物。
（７）非イオン性界面活性剤の油に対する割合が約１．４：１よりも大きい、第（１）項に記載のマイクロエマルション洗浄組成物。
（８）前記アルコールエトキシレート界面活性剤が、約４〜約６分子のエチレンオキシド単位を有するＣ１２〜１５アルコールエトキシレートを含む、第（１）項に記載のマイクロエマルション洗浄組成物。
（９）前記アルキルポリグリコシド界面活性剤が、重合度が約１〜約５のＣ８〜１２アルキルポリグリコシド成分を含む、第（１）項に記載のマイクロエマルション洗浄組成物。
（１０）両性界面活性剤を更に含有する、第（１）項に記載のマイクロエマルション洗浄組成物。
（１１）前記両性界面活性剤を、約１ｗｔ％〜約２０ｗｔ％の濃度で提供する、第（１０）項に記載のマイクロエマルション洗浄組成物。
（１２）抗菌剤、酸化性抗菌剤、腐食防止剤、及びそれらの混合のうちの少なくとも１つを含む添加剤を更に含有する、第（１）項に記載のマイクロエマルション洗浄組成物。
（１３）前記酸化性抗菌剤が、過酸化水素、オゾン、次亜塩素酸、二酸化塩素、及びそれらの混合の少なくとも１つを含む、第（１２）項に記載のマイクロエマルション洗浄組成物。
（１４）１ｃｍのセルに入った前記マイクロエマルションを通る可視光の透過率が、１ｃｍのセルに入った脱イオン水を通る可視光の透過率の少なくとも９０％である、第（１）項に記載のマイクロエマルション洗浄組成物。
（１５）マイクロエマルションが約５０°Ｆの温度範囲内で維持される、第（１）項に記載のマイクロエマルション洗浄組成物。
（１６）両性界面活性剤が下記の式の化合物を含む、第（１０）項に記載のマイクロエマルション洗浄組成物：
【化２】
2003522285.tif 000002
（Ｘは、炭素原子数が１〜４の直鎖の又は枝分かれしたアルキレン、ヒドロキシアルキレン、又はアルコキシアルキレン基；
Ｒは、Ｒ４−ＣＯ−ＮＨ又はＲ４であり、ここでＲ４は、炭素原子数４〜２２の飽和又は不飽和の、枝分かれした又は直鎖のアルキル基；
Ｒ１は、水素、Ａ又は（Ａ）ｎ−Ｘ−ＣＯ２−Ｚ＋であり、ここでＡは、炭素原子数１〜４の直鎖の又は枝分かれしたアルキル、ヒドロキシアルキル又はアルコキシアルキル、ｎは０〜６の整数、且つｚはアルカリ金属カチオン、水素イオン又はアンモニウムカチオン；
Ｒ２は、（Ａ）ｎ−Ｘ−ＣＯ２−Ｚ＋；且つ
Ｒ３は、なし又はＡ。）
（１７） 両性界面活性剤が下記の式の化合物を含む、第（１０）項に記載のマイクロエマルション洗浄組成物：
【化３】
2003522285.tif 000003
（Ｒは、水素、炭素原子数が１〜１６の直鎖の又は枝分かれしたアルキルであり、ここでこのアルキル基は、フェニルがその中間にあり又はなく、且つＸはアニオン。）
（１８） ｐＨが７未満である、第（１０）項に記載のマイクロエマルション洗浄組成物。
（１９） マイクロエマルション洗浄組成物を疎水性の汚れを有する物品に接触させることを含む、物品から疎水性の汚れを除去する方法であって、前記マイクロエマルション洗浄組成物が、
（ａ）効果的なマイクロエマルションを形成する量の水；
（ｂ）（ｉ）約１〜約２０分子のエチレンオキシド単位を有するＣ６〜２４アルコールエトキシレート界面活性剤；
（ｉｉ）重合度が約１〜約２０であるＣ６〜２４アルキルポリグリコシド界面活性剤；
を含有し、ここで、
（ｉｉｉ）前記アルコールエトキシレート界面活性剤とアルキルポリグリコシド界面活性剤とを、約１：４〜約４：１の重量比で供給する、
効果的なマイクロエマルションを形成する量の非イオン性界面活性剤混合物；
（ｃ）２２℃での水溶性が１ｗｔ％未満の、効果的なマイクロエマルションを形成する量の油、
を含有する、物品から疎水性の汚れを除去する方法。
（２０） 前記疎水性の汚れが炭化水素油を含む、第（１９）項に記載の物品から疎水性の汚れを除去する方法。
（２１） 前記炭化水素油が粒子状の汚れを含む、第（２０）項に記載の物品から疎水性の汚れを除去する方法。
（２２） 前記物品が繊維品を含む、第（１９）項に記載の物品から疎水性の汚れを除去する方法。
（２３） 前記物品が硬質表面を有する物質を含む、第（１９）項に記載の物品から疎水性の汚れを除去する方法。
（２４） 前記物品が自動車の外部表面を含む、第（１９）項に記載の物品から疎水性の汚れを除去する方法。
（２５） （ａ）前記自動車の外側表面から前記マイクロエマルション洗浄組成物をすすぐこと、
を更に含む、第（２４）項に記載の物品から疎水性の汚れを除去する方法。
（２６） マイクロエマルション洗浄組成物を、疎水性の汚れで汚れた手と接触させることを含む、手から疎水性の汚れを除去する方法であって、前記マイクロエマルション洗浄組成物が、
（ａ）効果的なマイクロエマルションを形成する量の水；
（ｂ）（ｉ）約１〜約２０分子のエチレンオキシド単位を有するＣ６〜２４アルコールエトキシレート界面活性剤；
（ｉｉ）重合度が約１〜約２０であるＣ６〜２４アルキルポリグリコシド界面活性剤；
を含有し、ここで、
（ｉｉｉ）前記アルコールエトキシレートとアルキルポリグリコシドとを、約１：４〜約４：１の重量比で供給する、
効果的なマイクロエマルションを形成する量の非イオン性界面活性剤混合物；
（ｃ）２２℃での水溶性が１ｗｔ％未満の、効果的なマイクロエマルションを形成する量の油、
を含有する、手から疎水性の汚れを除去する方法。
（２７） マイクロエマルション使用溶液を提供すること；並びに
前記使用溶液の温度を変化させて、マイクロエマルションを分離させること；
を含む、マイクロエマルションを相転換させる方法であって、前記マイクロエマルション使用溶液が、
（ａ）効果的なマイクロエマルションを形成する量の水；
（ｂ）（ｉ）約１〜約２０分子のエチレンオキシド単位を有するＣ６〜２４アルコールエトキシレート界面活性剤；
（ｉｉ）重合度が約１〜約２０であるＣ６〜２４アルキルポリグリコシド界面活性剤；
を含有し、ここで、
（ｉｉｉ）前記アルコールエトキシレートとアルキルポリグリコシドとを、約１：４〜約４：１の重量比で供給する、
効果的なマイクロエマルションを形成する量の非イオン性界面活性剤混合物；
（ｃ）２２℃での水溶性が１ｗｔ％未満の、効果的なマイクロエマルションを形成する量の油、並びに
（ｄ）分離に効果的な量の分離剤、
を含有する、マイクロエマルションを相転換させる方法。